(57)【特許請求の範囲】
【請求項１】
絶縁性のコネクタ本体と、
水平端子部と垂直端子部とを有してＬ字形状をなし、該水平端子部を上記コネクタ本体に固定されて該コネクタ本体に固定してあり、該垂直端子部が、その先端が該コネクタ本体の下面より下方に位置して整列している複数の端子と、
複数の貫通孔が整列して形成してあり、各貫通孔が対応する垂直端子部に嵌合した状態で、上記コネクタ本体に上方に移動可能に取り付けられた絶縁性のブラケットとよりなり、該垂直端子部の先端を基板の孔に挿入されて実装されるライトアングル型コネクタにおいて、
上記ブラケットは、上記複数の貫通孔が整列して形成してある板状の本体部と、その長手方向の両端の側に第１の立ち上がり壁と、その長手方向の縁に沿う第２の立ち上がり壁と、を有する構成であり、
前記コネクタ本体は、該コネクタの複数の端子の並び方向の両端の夫々について、該第１の立ち上がり壁の上方への移動を案内する第１のガイド溝及び該第２の立ち上がり壁の両端部の上方への移動を案内する第２のガイド溝を有する構成であり、
該第１の立ち上がり壁と該第１のガイド溝に、上記コネクタ本体に対して、最終の取付け位置よりも下方の位置であって、上記貫通孔が上記垂直端子部の先端と嵌合する位置に、上記最終の取付け位置に移動可能な状態で凹凸嵌合して仮固定する仮固定手段を設け、
且つ、上記ブラケットは、上記本体部の下面より下方に突き出しており、ライトアングル型コネクタの上記基板に対する実装位置を決める位置決め手段を設けた構成としたことを特徴とするライトアングル型コネクタ。
【請求項２】
絶縁性のコネクタ本体と、
水平端子部と垂直端子部とを有してＬ字形状をなし、該水平端子部を上記コネクタ本体に固定されて該コネクタ本体に固定してあり、該垂直端子部が、その先端が該コネクタ本体の下面より下方に位置して整列している複数の端子と、
複数の貫通孔が整列して形成してあり、各貫通孔が対応する垂直端子部に嵌合した状態で、上記コネクタ本体に上方に移動可能に取り付けられた絶縁性のブラケットとよりなり、該垂直端子部の先端を基板の孔に挿入されて実装されるライトアングル型コネクタにおいて、
上記ブラケットは、上記複数の貫通孔が整列して形成してある板状の本体部と、その長手方向の両端の側に第１の立ち上がり壁と、その長手方向の縁に沿う第２の立ち上がり壁と、を有する構成であり、
前記コネクタ本体は、該コネクタの複数の端子の並び方向の両端の夫々について、該第１の立ち上がり壁の上方への移動を案内する第１のガイド溝及び該第２の立ち上がり壁の両端部の上方への移動を案内する第２のガイド溝を有する構成であり、
該第１の立ち上がり壁と該第１のガイド溝に、上記コネクタ本体に対して、最終の取付け位置よりも下方の位置であって、上記垂直端子部の先端が上記貫通孔より若干突き出る位置に、上記最終の取付け位置に移動可能な状態で凹凸嵌合して仮固定する仮固定手段を設けた構成としたことを特徴とするライトアングル型コネクタ。
【発明の詳細な説明】
【０００１】
【発明の属する技術分野】
本発明はライトアングル型コネクタに係り、特に、Ｌ字形状をなす端子の垂直端子部をプリント板の孔に差し込んでプリント板上に実装されるライトアングル型コネクタに関する。
【０００２】
ライトアングル型コネクタは、プリント板上への実装が円滑に行われる構成であることが望ましい。
【０００３】
【従来の技術】
図９及び図１０は、従来の一例のライトアングル型コネクタ１０を示す。コネクタ１０は、絶縁性のコネクタ本体１１と、絶縁性のブラケット１２と、複数の端子１３とよりなる。
【０００４】
端子１３は、Ｌ字形状をなし、水平端子部１３ａと垂直端子部１３ｂとを有する。端子１３の水平端子部１３ａがコネクタ本体１１を貫通して固定されている。垂直端子部１３ｂは、下方を向いて並んでいる。ブラケット１２には、複数の貫通孔１２ａが、垂直端子部１３ｂの設計上の配列に対応した配置で形成してある。ブラケット１２は、各貫通孔１２ａを対応する垂直端子部１３ｂに嵌合させて、コネクタ本体１１にその下側から矢印Ｚ１で示すようにコネクタ本体１１に近づけて取り付けられる。ブラケット１２がコネクタ本体１１に取り付けられた状態で、垂直端子部１３ｂは、対応する貫通孔１２ａを貫通しており、貫通孔１２ａによって位置規制されている。
【０００５】
コネクタ１０は、矢印Ｚ２で示すように下降させて、図１１に示すように、各垂直端子部１３ｂをプリント板２０の対応する孔２１に挿入して、プリント板２０上に実装される。
【０００６】
【発明が解決しようとする課題】
しかるに、従来のコネクタ１０においては、垂直端子部１３ｂのうちブラケット１２より下方に突き出ている部分１３ｂ−１の長さＬ１は、プリント板２０の対応する孔２１を貫通するに足る長さであり、約５ｍｍと長い。このため、コネクタ１０を運搬している途中で、突き出ている部分１３ｂ−１が、図１０に二点鎖線で示すように、曲がってしまう虞れがあった。複数の垂直端子部１３ｂのうち一本でも曲がってしまうと、そのままでは、曲がった垂直端子部がつかえて、コネクタ１０がプリント板２０上に実装されなくなってしまう。実装するには、許容限度以上に曲がった垂直端子部の曲がりをいちいち直す作業を行う必要があり、実装作業の能率が良くなかった。
【０００７】
なお、近年、ライトアングル型コネクタは、端子の数が増え、垂直端子部のピッチが狭くなる傾向にある。よって、垂直端子部に許される曲がりの程度はより小さくなり、垂直端子部の曲がりは従来にくらべてより重要な問題となる。
そこで、本発明は、上記課題を解決したライトアングル型コネクタを提供することを目的とする。
【０００８】
【課題を解決するための手段】
請求項１の発明は、
絶縁性のコネクタ本体と、
水平端子部と垂直端子部とを有してＬ字形状をなし、該水平端子部を上記コネクタ本体に固定されて該コネクタ本体に固定してあり、該垂直端子部が、その先端が該コネクタ本体の下面より下方に位置して整列している複数の端子と、
複数の貫通孔が整列して形成してあり、各貫通孔が対応する垂直端子部に嵌合した状態で、上記コネクタ本体に上方に移動可能に取り付けられた絶縁性のブラケットとよりなり、該垂直端子部の先端を基板の孔に挿入されて実装されるライトアングル型コネクタにおいて、
上記ブラケットは、上記複数の貫通孔が整列して形成してある板状の本体部と、その長手方向の両端の側に第１の立ち上がり壁と、その長手方向の縁に沿う第２の立ち上がり壁と、を有する構成であり、
前記コネクタ本体は、該コネクタの複数の端子の並び方向の両端の夫々について、該第１の立ち上がり壁の上方への移動を案内する第１のガイド溝及び該第２の立ち上がり壁の両端部の上方への移動を案内する第２のガイド溝を有する構成であり、
該第１の立ち上がり壁と該第１のガイド溝に、上記コネクタ本体に対して、最終の取付け位置よりも下方の位置であって、上記貫通孔が上記垂直端子部の先端と嵌合する位置に、上記最終の取付け位置に移動可能な状態で凹凸嵌合して仮固定する仮固定手段を設け、
且つ、上記ブラケットは、上記本体部の下面より下方に突き出しており、ライトアングル型コネクタの上記基板に対する実装位置を決める位置決め手段を設けた構成としたことものである。
【０００９】
請求項２の発明は、  絶縁性のコネクタ本体と、
水平端子部と垂直端子部とを有してＬ字形状をなし、該水平端子部を上記コネクタ本体に固定されて該コネクタ本体に固定してあり、該垂直端子部が、その先端が該コネクタ本体の下面より下方に位置して整列している複数の端子と、
複数の貫通孔が整列して形成してあり、各貫通孔が対応する垂直端子部に嵌合した状態で、上記コネクタ本体に上方に移動可能に取り付けられた絶縁性のブラケットとよりなり、該垂直端子部の先端を基板の孔に挿入されて実装されるライトアングル型コネクタにおいて、
上記ブラケットは、上記複数の貫通孔が整列して形成してある板状の本体部と、その長手方向の両端の側に第１の立ち上がり壁と、その長手方向の縁に沿う第２の立ち上がり壁と、を有する構成であり、
前記コネクタ本体は、該コネクタの複数の端子の並び方向の両端の夫々について、該第１の立ち上がり壁の上方への移動を案内する第１のガイド溝及び該第２の立ち上がり壁の両端部の上方への移動を案内する第２のガイド溝を有する構成であり、
該第１の立ち上がり壁と該第１のガイド溝に、上記コネクタ本体に対して、最終の取付け位置よりも下方の位置であって、上記垂直端子部の先端が上記貫通孔より若干突き出る位置に、上記最終の取付け位置に移動可能な状態で凹凸嵌合して仮固定する仮固定手段を設けた構成としたものである。
【００１０】
【発明の実施の形態】
図１乃至図４は、本発明の第１実施例になるライトアングル型コネクタ３０を示す。ライトアングル型コネクタ３０は左右対称の構造であり、図示の便宜上、約半分を図示する。
【００１１】
コネクタ３０は、コネクタ本体３１と、ブラケット３２と、複数の端子３３とを有し、且つ、ブラケット３２をコネクタ本体３１に仮固定する仮固定手段としての仮固定機構３４を有する。
図２に示すように、コネクタ本体３１は、絶縁性の材料製であり、平面図上コ字形を有し、本体部３１ａと、本体部３１ａの両側の腕部３１ｂとよりなる。腕部３１ｂの内側には、溝３５、３６、３７が形成してある。溝３５の奥部の壁のＹ１，Ｙ２の両側にスリット３８ａ．３８ｂが形成してある。このスリット３８ａ．３８ｂによって、上記壁は、腕３９と成っている。この腕３９は、下端の内側に、爪４０を有し、弾性的に撓んで、爪４０がＸ１，Ｘ２方向に変位可能である。
【００１２】
ブラケット３２は、絶縁性の材料製であり、Ｘ１方向よりみてＬ字状をなし、板状の本体部３２ａと、Ｙ２方向端側の立ち上がり壁３２ｂと、Ｘ１、Ｘ２方向端側の立ち上がり壁３２ｃとを有する。本体部３２ａには、複数の貫通孔４１が、後述する垂直端子部３３ｂの設計上の配列に対応した配置で形成してある。また、本体部３２ａのＸ１，Ｘ２方向端の下面には、位置決め手段としての位置決め用のピン部４２が設けてある。図３に示すように、立ち上がり壁３２ｃの外側の面には、上端付近に、凹部４３があり、下端付近に、凹段部４４がある。凹部４３より上側は、傾斜面４５となっており、凹段部４４と凹部４３との間も、傾斜面４６となっている。前記の爪４０と上記の凹部４３とが、上記の仮固定機構３４を構成する。
【００１３】
端子３３は、Ｌ字形状をなし、水平端子部３３ａと垂直端子部３３ｂとを有する。端子３３の水平端子部３３ａがコネクタ本体３１の本体部３１ａを貫通して固定されている。垂直端子部１３ｂは、下方を向いて並んでいる。垂直端子部１３ｂの先端（下端）１３ｃの高さＨ２は、コネクタ本体３１の下面４７の高さＨ１より下方である。
【００１４】
上記のブラケット３２は、図２の姿勢で、コネクタ本体３１の下側からＺ１方向にコネクタ本体３１に近づけられ、図１及び図２に示すように、各貫通孔４１を対応する垂直端子部３３ｂに嵌合させ、且つ、図１に示すように、立ち上がり壁３２ｃを溝３５に嵌合させ、且つ、図２に示すように、凹部４３を爪４０と係合させて仮固定してある。仮固定とは、ブラケット３２が、最終的に取付けられる位置より手前側の位置に、容易には外れない状態で、且つ、最終取付け位置に移動し得る状態で取付けてあるという意味である。
【００１５】
仮固定ではあるけれども、立ち上がり壁３２ｃが溝３５に嵌合しているため、ブラケット３２は、Ｘ１，Ｘ２方向及びＹ１，Ｙ２方向については、コネクタ本体３１に対して、最終取付け位置と同じ位置に位置決めしてある。また、本体部３２ａは、上記の高さＨ２に位置しており、各貫通孔４１内に垂直端子部１３ｂの先端（下端）１３ｃが嵌合している。よって、各端子３３は、垂直端子部３３ｂを位置規制されている。
【００１６】
ここで、図１及び図２に示すように、垂直端子部１３ｂの先端（下端）１３ｃが貫通孔４１の内部に位置しており、垂直端子部１３ｂの先端１３ｃはブラケット３２より下方に突き出してはいない。このため、コネクタ３０を運搬している途中で、垂直端子部１３ｂの先端１３ｃが外部の物に引っ掛かることが起きず、よって、取り扱い中に垂直端子部１３ｂが曲がってしまうことは起きない。このため、後述するように、コネクタ３０をプリント板に実装するに際して、垂直端子部の曲がりを直す作業を行う必要がなく、実装作業は能率良く行われる。
【００１７】
次に、上記のコネクタ３０をプリント板上に実装するときの、操作及び動作について説明する。
図１に示すように、プリント板２０Ａには、孔２１の他に、ピン部２１に対応した位置決め用の孔５０が設けてある。
【００１８】
先ず、図５（Ａ）に示すように、ピン部４２を位置決め用孔５０に嵌合させて、コネクタ３０をプリント板２０Ａ上に載せる。
ピン部４２を位置決め用孔５０に嵌合することによって、コネクタ３０はプリント板２０Ａ上の実装予定部に対して位置決めされ、ブラケット３２の各貫通孔４１がプリント板２０Ａの孔２１と一致し、貫通孔４１と孔２１とが一直線に整列した状態となる。
【００１９】
次に、コネクタ本体３１をＺ２方向に、図５（Ｂ）に示す最終位置まで押し下げる。
この操作により、爪４０が凹部４３より抜け出し、爪４０が傾斜面４６を滑り、腕３９が外側に撓みつつ、コネクタ本体３１が沈み込む。コネクタ本体３１がプリント板２０Ａに当接する位置まで沈み込むと、腕３９が弾性復元して、爪４０が凹段部４４と係合する。更には、ブラケット３２の立ち上がり壁３２ｃが溝３５の奥部まで入り込み、立ち上がり壁３２ｂが溝３６に係合し、本体部３２ａのＸ１方向端が溝３７に係合する。これにより、ブラケット３２はコネクタ本体３１の最終取付け位置に固定された状態となる。
【００２０】
また、コネクタ本体３１が沈み込むことにより、垂直端子部１３ｂの先端１３ｃが貫通孔４１より出て、孔２１内に入り込み、プリント板２０Ａの下面の位置にまで到る。ここで、孔２１が貫通孔４１と整列してあるため、垂直端子部１３ｂの先端１３ｃがプリント板２０Ａの上面にぶつかることは起きず、全部の垂直端子部１３ｂの先端１３ｃが孔２１内に円滑に入り込み挿入される。この後、リフローによって、垂直端子部１３ｂの先端側がプリント板２０Ａに半田付けされる。
【００２１】
次に、本発明の第２実施例になるライトアングル型コネクタ３０Ａについて、図６乃至図８を参照して説明する。
ライトアングル型コネクタ３０Ａは、上記の第１実施例になるライトアングル型コネクタ３０とは、ブラケット３２Ａだけが異なる。ブラケット３２Ａは、ピン部４２を有しない。
【００２２】
図６及び図７に示すように、ブラケット３２Ａは、本体部３２ａが高さＨ２より少し高い高さＨ３に位置して仮固定してある。ブラケット３２Ａにピン部４２が無い代わりに、垂直端子部１３ｂの先端１３ｃ寄りの部分１３ｄがブラケット３２Ａの本体部３２ａより下方に突き出ている。垂直端子部１３ｂの先端１３ｃ寄りの部分１３ｄがブラケット３２Ａの本体部３２ａより下方に突き出ている理由は、突き出ている部分に上記実施例のピン部４２と同じ役割を持たせるためであり、ブラケット３２Ａの本体部３２ａより下方に突き出ている部分１３ｄの長さＬ２は、１ｍｍ程度であり、図１０に示す従来例における対応する長さＬ１より格段に短い。よって、部分１３ｄは曲がりにくく、取り扱い中に垂直端子部１３ｂが曲がってしまうことは起きない。
【００２３】
上記のコネクタ３０Ａは、第１実施例になるコネクタ３０と同様にしてプリント板上に実装される。プリント板２０には、位置決め用孔５０有しない。
先ず、図８（Ａ）に示すように、垂直端子部１３ｂの先端部分１３ｄを対応する孔２１に嵌合させて、コネクタ３０Ａをプリント板２０上に載せる。
【００２４】
垂直端子部１３ｂの先端部分１３ｄを対応する孔２１に嵌合することによって、コネクタ３０Ａはプリント板２０上の実装予定部に対して位置決めされた状態となる。
次に、コネクタ本体３１をＺ２方向に、図８（Ｂ）に示す最終位置まで押し下げる。
【００２５】
この操作により、爪４０が凹部４３より抜け出し、爪４０が傾斜面４６を滑り、腕３９が外側に撓みつつ、コネクタ本体３１が沈み込む。コネクタ本体３１がプリント板２０Ａに当接する位置まで沈み込むと、腕３９が弾性復元して、爪４０が凹段部４４と係合する。更には、ブラケット３２の立ち上がり壁３２ｃが溝３５の奥部まで入り込み、立ち上がり壁３２ｂが溝３６に係合し、本体部３２ａのＸ１方向端が溝３７に係合する。これにより、ブラケット３２はコネクタ本体３１の最終取付け位置に固定された状態となる。
【００２６】
また、コネクタ本体３１が沈み込むことにより、垂直端子部１３ｂの先端部分１３ｄが孔２１内に更に入り込み、プリント板２０Ａの下面の位置にまで到る。この後、リフローによって、垂直端子部１３ｂの先端側がプリント板２０に半田付けされる。
【００２７】
【発明の効果】
上述の如く、請求項１の発明によれば、仮固定手段によって、ブラケットをその貫通孔が垂直端子部の先端と嵌合する位置に仮固定する構成であるため、取り扱い中に垂直端子部の先端が外部の物とぶつかる虞れを無くして、取り扱い中に垂直端子部が曲がる事故を完全に無くすることが出来る。よって、実装するに際して、許容限度以上に曲がった垂直端子部の曲がりを直す作業を行う必要を無くすることが出来る。しかも、ブラケットに、ライトアングル型コネクタの基板に対する実装位置を決める位置決め手段を設けた構成であるため、この位置決め手段を利用して、ライトアングル型コネクタを実装位置に位置決め出来る。また、上記の仮固定手段によって、コネクタ本体を沈み込ませることが出来る。よって、ライトアングル型コネクタの実装する作業能率が良く行うことが出来る。
【００２８】
請求項２の発明によれば、仮固定手段によってブラケットが仮固定された状態では、垂直端子部の先端が貫通孔より若干突き出ただけであるため、垂直端子部の先端側は曲がりにくく、よって、実装するに際して、許容限度以上に曲がった垂直端子部の曲がりを直す作業を行う必要を無くすることが出来る。しかも、若干突き出た垂直端子部の先端を利用して、ライトアングル型コネクタを実装位置に位置決め出来る。また、上記の仮固定手段によって、コネクタ本体を沈み込ませることが出来る。よって、ライトアングル型コネクタの実装する作業能率が良く行うことが出来る。
【図面の簡単な説明】
【図１】本発明の第１実施例になるライトアングル型コネクタの斜視図である。
【図２】図１のライトアングル型コネクタの分解斜視図である。
【図３】図２中、ブラケットを右側からみた斜視図である。
【図４】図１中、ＩＶ−ＩＶ線に沿う断面図である。
【図５】図１のライトアングル型コネクタのプリント板上への実装を説明する図である。
【図６】本発明の第２実施例になるライトアングル型コネクタの斜視図である。
【図７】図６中、ＶＩＩ−ＶＩＩ線に沿う断面図である。
【図８】図６のライトアングル型コネクタのプリント板上への実装を説明する図である。
【図９】従来のライトアングル型コネクタの１例を示す図である。
【図１０】図９中、Ｘ−Ｘ線に沿う断面図である。
【図１１】図９のライトアングル型コネクタがプリント板上に実装された状態を示す図である。
【符号の説明】
２０、２０Ａ  プリント板
２１  孔
３０、３０Ａ  ライトアングル型コネクタ
３１  コネクタ
３１ａ  本体部
３１ｂ  腕部
３２，３２Ａ  ブラケット
３２ａ  板状の本体部
３２ｂ，３２ｃ  立ち上がり壁
３３  端子
３３ａ  水平端子部
３３ｂ  垂直端子部
３３ｃ  垂直端子部の先端（下端）
３３ｄ  ブラケットより突き出ている部分
３４  仮固定機構
３５，３６，３７  溝
３８ａ，３８ｂ  スリット
３９  腕
４０  爪
４１  貫通孔
４２  位置決め用のピン部
４３  凹部
４４  凹段部
４５、４６  傾斜面
５０  位置決め用孔
【図１】
0003749290.tif 000002
【図２】
0003749290.tif 000003
【図３】
0003749290.tif 000004
【図４】
0003749290.tif 000005
【図５】
0003749290.tif 000006
【図６】
0003749290.tif 000007
【図７】
0003749290.tif 000008
【図８】
0003749290.tif 000009
【図９】
0003749290.tif 000010
【図１０】
0003749290.tif 000011
【図１１】
0003749290.tif 000012